(57)【要約】【課題】景観およびセキュリティを考慮した廃棄物処理を実現する。【解決手段】センサ制御部１１は、廃棄物が投棄されるごみ収集ボックスに設けられる。センサ制御部１１は、認証部２０、施錠部２１、ごみ量検出部２２、および通信部２４を有する。認証部２０は、ごみ収集ボックスの利用許可者を認証する。施錠部２１は、認証部２０が利用許可者であることを認証した際にごみ収集ボックスを解錠する。ごみ量検出部２２は、ごみ収集ボックスのごみ量を検出する。制御部２３および通信部２４は、ごみ量検出部２２が検出したごみ量から、ごみ収集ボックスのごみ回収時期が近づいているか否かを判定して、ごみ収集ボックス３０のごみ回収時期が近づいていると判定した際に、通知信号をサーバ１２に送信する。【選択図】図１
2016141499.tif 000002
【特許請求の範囲】
【請求項１】
廃棄物が投棄されるごみ収集ボックスに設けられ、前記ごみ収集ボックスの利用状況を監視する監視制御部と、
前記監視制御部と通信回線を介して接続され、前記監視制御部から送信された通知信号を受信する情報処理部と、
を具備し、
前記監視制御部は、
前記ごみ収集ボックスの利用許可者を認証する認証部と、
前記認証部が利用許可者であることを認証した際に、前記ごみ収集ボックスを解錠するロック部と、
前記ごみ収集ボックスのごみ量を検出するごみ量検出部と、
前記ごみ量検出部が検出したごみ量から、前記ごみ収集ボックスのごみ回収時期が近づいているか否かを判定し、前記ごみ収集ボックスのごみ回収時期が近づいていると判定した際に、前記通知信号を前記情報処理部に送信する通信制御部と、
を有する、廃棄物処理システム。
【請求項２】
請求項１記載の廃棄物処理システムにおいて、
前記情報処理部は、前記通信制御部から送信された前記通知信号を受信した際に、前記ごみ収集ボックスのごみ回収時期が近づいていることを示すアラートを出力する、廃棄物処理システム。
【請求項３】
請求項１または２記載の廃棄物処理システムにおいて、
前記通信制御部は、前記ごみ量検出部が検出したごみ量が予め設定されたごみ量しきい値よりも多いと判定した際に、前記通知信号を出力する、廃棄物処理システム。
【請求項４】
請求項１〜３のいずれか１項に記載の廃棄物処理システムにおいて、
前記監視制御部は、前記ごみ収集ボックスのごみ重量を計測するごみ重量測定部を有し、
前記通信制御部は、前記通知信号を送信する際に、前記ごみ重量測定部が測定したごみ重量を前記情報処理部に送信する、廃棄物処理システム。
【請求項５】
請求項４記載の廃棄物処理システムにおいて、
前記情報処理部は、前記通信制御部から送信された前記ごみ重量に応じて課金される料金を算出して、算出した前記料金を出力する、廃棄物処理システム。
【請求項６】
廃棄物が投棄されるごみ収集ボックスに設けられ、前記ごみ収集ボックスの利用状況を監視する監視制御部と、
前記監視制御部と通信回線を介して接続され、前記監視制御部から送信された監視信号を受信する情報処理部と、
を具備し、
前記監視制御部は、
前記ごみ収集ボックスの利用許可者を認証する認証部と、
前記認証部が利用許可者であることを認証した際に、前記ごみ収集ボックスを解錠するロック部と、
前記ごみ収集ボックスのごみ量を検出するごみ量検出部と、
前記ごみ量検出部が検出したごみ量を前記通信回線を介して前記情報処理部に送信する通信制御部と、
を有する、廃棄物処理システム。
【請求項７】
請求項６記載の廃棄物処理システムにおいて、
前記情報処理部は、前記通信制御部から送信された前記ごみ量から、前記ごみ収集ボックスのごみ回収時期が近づいているごみ収集ボックスを判定して、前記ごみ収集ボックスのごみ回収時期が近づいていることを示すアラートを出力する、廃棄物処理システム。
【請求項８】
請求項７記載の廃棄物処理システムにおいて、
前記情報処理部は、前記通信制御部から送信された前記ごみ量検出部が検出したごみ量が予め設定されたごみ量しきい値よりも多いと判定した際に、前記ごみ収集ボックスのごみ回収時期が近づいていると判定する、廃棄物処理システム。
【請求項９】
請求項６〜８のいずれか１項に記載の廃棄物処理システムにおいて、
前記監視制御部は、前記ごみ収集ボックスのごみ重量を計測するごみ重量測定部を有し、
前記通信制御部は、前記ごみ重量測定部が測定したごみ重量を前記通信回線を介して前記情報処理部に送信する、廃棄物処理システム。
【請求項１０】
請求項９記載の廃棄物処理システムにおいて、
前記情報処理部は、前記通信制御部から送信された前記ごみ重量に応じて課金される料金を算出して、算出した前記料金を出力する、廃棄物処理システム。
【発明の詳細な説明】
【技術分野】
【０００１】
本発明は、廃棄物処理システムに関し、特に、景観およびセキュリティを考慮した廃棄物の回収作業に有効な技術に関する。
【背景技術】
【０００２】
一般に、ごみなどの廃棄物は、例えば道路脇などに設定されたごみ回収スペースあるいは道路脇などに設置されているごみ回収ボックスなどに捨てられる。そして、ごみ回収スペースなどに捨てられた廃棄物は、ごみ回収日などに定期的にごみ回収車が巡回して収集される。
【発明の概要】
【発明が解決しようとする課題】
【０００３】
しかしながら、上記した廃棄物の回収技術では、以下のような問題点があった。
【０００４】
上述したように、ごみ回収ボックスやごみ回収スペースは、道路脇などに設置あるいは設定されているだけであるので、不特定多数の人が利用できる状態となっている。そのため、例えば通行人などの利用者以外の人によるごみのポイ捨てや不法投棄などが生じる恐れがある。
【０００５】
また、不法投棄の場合には、粗大ごみや使用済みのスプレー缶などの危険物が投棄されてしまう恐れもあり、セキュリティ面からの課題がある。
【０００６】
ごみポイ捨てなどを低減するには、例えばごみ回収ボックスに鍵などをかけることが考えられる。しかし、その場合、利用者全員が合い鍵を所有することになり、ごみ回収ボックスの利用者の利便性が損なわれてしまう。さらには、利用者による鍵の閉め忘れなどが発生してまうことも考えられる。
【０００７】
また、道路脇などに設定されるごみ回収スペースの場合には、ごみ回収車が到着してごみを回収するまでの間、ごみ回収スペース、言い換えれば道路脇にごみが露出した状態で放置されたままとなる。
【０００８】
例えば廃棄物の量が多い場合には、ごみ回収スペースをはみ出してしまい、その結果、通行者などの歩行の邪魔になってしまう恐れが生じてしまう。また、ごみ回収スペースであっても、道路脇に廃棄物が捨てられることになるため、景観が悪化してしまうとともに、衛生面からもよい状態であるとは言えない。
【０００９】
本発明の目的は、セキュリティおよび景観を考慮した廃棄物処理を実現することができる技術を提供することにある。
【００１０】
本発明の前記ならびにその他の目的と新規な特徴については、本明細書の記述および添付図面から明らかになるであろう。
【課題を解決するための手段】
【００１１】
本願において開示される発明のうち、代表的なものの概要を簡単に説明すれば、次のとおりである。
【００１２】
すなわち、代表的な廃棄物処理システムは、廃棄物が投棄されるごみ収集ボックスに設けられ、該ごみ収集ボックスの利用状況を監視する監視制御部と、監視制御部と通信回線を介して接続され、監視制御部から送信された監視信号を受信する情報処理部と、を具備する。
【００１３】
また、監視制御部は、認証部、ロック部、ごみ量検出部、および通信制御部を有する。認証部は、ごみ収集ボックスの利用許可者を認証する。ロック部は、認証部が利用許可者であることを認証した際に、ごみ収集ボックスを解錠する。
【００１４】
ごみ量検出部は、ごみ収集ボックスのごみ量を検出する。通信制御部は、ごみ量検出部が検出したごみ量から、ごみ収集ボックスのごみ回収時期が近づいているか否かを判定し、ごみ収集ボックスのごみ回収時期が近づいていると判定した際に、通知信号を情報処理部に送信する。
【００１５】
特に、情報処理部は、通信制御部から送信された通知信号を受信した際に、ごみ収集ボックスのごみ回収時期が近づいていることを示すアラートを出力する。
【発明の効果】
【００１６】
本願において開示される発明のうち、代表的なものによって得られる効果を簡単に説明すれば以下のとおりである。
【００１７】
（１）廃棄物の回収スペースにおけるセキュリティを向上させることができる。
【００１８】
（２）廃棄物の回収スペースにおける景観が損なわれることを防止することができる。
【図面の簡単な説明】
【００１９】
【図１】実施の形態１による廃棄物処理システムにおける構成の一例を示す説明図である。
【図２】図１のセンサ制御部が備えられるごみ収集ボックスにおける構成の一例を示す説明図である。
【図３】図１の廃棄物処理システムにおける廃棄処理の一例を示すフローチャートである。
【図４】図１の廃棄物処理システムにおけるごみ管理処理の一例を示すフローチャートである。
【図５】実施の形態２による廃棄物処理システムにおける構成の一例を示す説明図である。
【発明を実施するための形態】
【００２０】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２１】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２２】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２３】
以下、実施の形態を詳細に説明する。
【００２４】
（実施の形態１）
図１は、本実施の形態１による廃棄物処理システム１０における構成の一例を示す説明図である。
【００２５】
廃棄物処理システム１０は、図１に示すように、センサ制御部１１、サーバ１２、および管理部１３を有する。監視制御部となるセンサ制御部１１は、図２に示すごみ収集ボックス３０などに設けられる。ごみ収集ボックス３０は、例えばマンションの住人などの許可された利用者のみに利用が制限されている。
【００２６】
これらセンサ制御部１１、サーバ１２、および管理部１３は、たとえば通信回線１４を介してそれぞれ接続されている。通信回線１４は、インターネット回線などであるが、特に制限はなく、専用の通信回線などであってもよい。
【００２７】
センサ制御部１１は、認証部２０、施錠部２１、ごみ量検出部２２、制御部２３、および通信部２４から構成されている。認証部２０は、ごみ収集ボックス３０を利用する利用者を認証する。この認証部２０による認証技術は、例えば声認証、顔認証、虹彩認証、あるいは指紋認証などによる生体認証などやパスワードなどによる認証などであるが、認証については、特に制限はなく、その他の認証技術を用いるようにしてもよい。
【００２８】
ロック部となる施錠部２１は、制御部２３から出力される制御信号に基づいて、ごみ収集ボックス３０の施錠および解錠を行う。ごみ量検出部２２は、ごみ収集ボックス３０におけるごみ量を検出してその検出結果を制御部２３に出力する。
【００２９】
制御部２３は、認証部２０がごみ収集ボックス３０を利用する利用者であることを認証した際に、ごみ収集ボックス３０を解錠するとともに、ごみ収集ボックス３０の蓋３０ａ（図２に示す）が閉じられた際に施錠する。これによって、認証者以外にごみ収集ボックス３０の利用が制限されることになる。
【００３０】
また、制御部２３は、ごみ量検出部２２から出力されるごみ量の検出結果に基づいて、ごみ収集ボックス３０内のごみ量が、ごみ量しきい値である予め設定された規定量以上となると、ごみ収集ボックス３０が満杯に近いこと知らせる通知信号を通信部２４に出力する。
【００３１】
この通知信号には、ごみ量検出部２２が検出したごみ収集ボックス３０のごみ量およびセンサ制御部１１にユニークに付与された識別番号、すなわちごみ収集ボックス３０を識別する識別番号などが含まれる。
【００３２】
通信部２４は、通信回線１４を介してサーバ１２との通信を行い、制御部２３から出力される通知信号をサーバ１２に送信する。情報処理部であるサーバ１２は、例えばごみ収集ボックス３０を管理する管理会社などに設置される。制御部２３および通信部２４によって通信制御部が構成される。
【００３３】
また、サーバ１２は、例えば識別番号と該識別番号に紐付けられたごみ収集ボックス３０の設置場所の情報とからなる設置情報テーブルを有している。この設置情報テーブルは、例えばサーバ１２の図示しないメモリなどに格納される。
【００３４】
サーバ１２は、通知信号を受信すると、通知信号に含まれる識別番号に基づいて、設置情報テーブルを検索し、該当するごみ収集ボックス３０の設置場所などを検出する。あるいは、識別番号ではなく、ごみ収集ボックス３０の位置情報を通知信号に含ませるようにしてもよい。
【００３５】
そして、サーバ１２は、ごみ収集ボックス３０のごみ量が規定値以上であることを示すアラートである満杯アラートを管理部１３に通信回線１４を介して出力する。この満杯アラートには、検出したごみ収集ボックス３０の設置場所およびごみ量検出部２２が検出したごみ量などの情報が付加される。
【００３６】
管理部１３は、例えばパーソナルコンピュータなどからなり、自治体の清掃局などが有するものであり、サーバ１２が送信した満杯アラートを受信する。
【００３７】
図２は、図１のセンサ制御部１１が備えられるごみ収集ボックス３０における構成の一例を示す説明図である。
【００３８】
ごみ収集ボックス３０は、図示するように箱状からなり、例えば道路の路側帯部分などに埋め込まれている。そして、ごみ収集ボックス３０の上面に位置する蓋３０ａが路面に露出する構成となっており、該蓋３０ａを開けることによってごみが投入される。また、ごみ収集ボックス３０の上面側の内部には、センサ制御部１１が取り付けられている。
【００３９】
ここで、ごみ収集ボックス３０の蓋３０ａは、例えば電動モータなどによって自動的に開け閉めされる構成であってもよい。その場合、電動モータの動作は、センサ制御部１１の制御部２３によって制御される。
【００４０】
電動モータによる動作を行う際、制御部２３は、認証部２０による認証が終了すると、施錠部２１によってごみ収集ボックス３０を解錠する。その後、制御部２３が電動モータを動作させてごみ収集ボックス３０の蓋３０ａを開ける。
【００４１】
そして、一定時間が経過した後、制御部２３は、ごみ収集ボックス３０の蓋３０ａを閉じるように電動モータを動作させる。あるいは、ごみ収集ボックス３０の上面などに開閉ボタンを設け、該開閉ボタンが押下された際に、制御部２３がごみ収集ボックス３０の蓋３０ａを開閉させるように、電動モータを制御するようにしてもよい。
【００４２】
次に、図１の廃棄物処理システム１０における動作について説明する。
【００４３】
まず、利用者を認証してごみ収集ボックス３０に該利用者がごみを捨てるまでの廃棄処理について図３を用いて説明する。
【００４４】
図３は、図１の廃棄物処理システム１０における廃棄処理の一例を示すフローチャートである。
【００４５】
ごみ収集ボックス３０を利用する際には、認証部２０による認証が行われる（ステップＳ１０１）。この場合、利用者は、マンションなどの住人であり、前述したように認証技術としては、顔認証などの生体認証あるいはパスワードの入力などである。
【００４６】
なお、図２では、センサ制御部１１がごみ収集ボックス３０の上面側の内部に取り付けられている場合について記載したが、センサ制御部１１における認証部２０は、ごみ収集ボックス３０に設ける必要はなく、ごみ収集ボックス３０の近傍に設けられていればよい。生体認証が虹彩などの場合には、顔に近い位置に認証部２０を設けることによって、認証時の利用者の利便性が向上する。
【００４７】
認証部２０は、利用者が予め登録されている利用許可者であることを認証すると（ステップＳ１０２）、利用許可者であることを示す認証信号を制御部２３に出力する。
【００４８】
この認証信号を受けて、制御部２３は、施錠部２１にごみ収集ボックス３０を解錠する制御信号を出力する。施錠部２１は、制御部２３から出力された制御信号に基づいて、ごみ収集ボックス３０を解錠する（ステップＳ１０３）。これによって、利用者は、蓋３０ａを開けることが可能となる。
【００４９】
利用者は、蓋３０ａを手動で開けて、ごみを廃棄する。その後、利用者が蓋３０ａを閉める。また、蓋３０ａが電動モータなどによって自動的に開け閉めされる場合には、蓋３０ａが自動にて開けられ、ごみを廃棄する。その後電動モータによって蓋３０ａが閉められる。
【００５０】
また、認証部２０が、予め登録されている利用許可者でないと判定した際には（ステップＳ１０２）、認証信号が出力されず、ステップＳ１０１の処理に戻る。
【００５１】
続いて、制御部２３は、一定時間が経過すると（ステップＳ１０４）、再び施錠部２１にごみ収集ボックス３０を施錠する制御信号を施錠部２１に出力する。これによって、ごみ収集ボックス３０が施錠される（ステップＳ１０５）。あるいは、ごみ収集ボックス３０の蓋３０ａが閉じられたことを検出した際に、施錠部２１に制御信号を出力して施錠を行うようにしてもよい。これによって、蓋３０ａを開けることができなくなり、予め登録された利用者以外の利用を防止することができる。
【００５２】
以上により、廃棄処理が終了となる。
【００５３】
このように、マンションの住人などの利用許可者のみがごみ収集ボックス３０にごみを投入することができるので、ごみ収集ボックス３０の利用者以外のごみの投棄を防止することができる。このことは、廃棄物や危険物の不法投棄などを防止に有効である。特に、前述した危険物などの投棄を防止することが可能となるので、セキュリティを向上させることができる。
【００５４】
また、ごみ収集ボックス３０を道路などに埋め込むように設置することによって、短時間であってもごみが道路上などに放置されることがなくなるので、ごみが通行人などの障害となることが防止できるとともに、景観を損ねることを防止することができる。
【００５５】
さらには、路上へのごみの散乱なども防止することが可能となるので、衛生面についても向上させることができる。
【００５６】
続いて、ごみ管理処理について、図４のフローチャートを用いて説明する。ごみ管理処理は、ごみ収集ボックス３０のごみ量を監視し、該ごみ収集ボックス３０のごみ量が予め設定された規定量よりも多くなると、ごみ回収を知らせる処理である。
【００５７】
図４は、図１の廃棄物処理システム１０におけるごみ管理処理の一例を示すフローチャートである。
【００５８】
ごみ量検出部２２は、ごみ収集ボックス３０内のごみ量を検出して、その検出結果を制御部２３に出力する（ステップＳ２０１）。このステップＳ２０１の処理は、例えばある間隔毎に定期的に実行するようにしてもよいし、あるいは連続的に実行するようにしてもよい。
【００５９】
制御部２３は、ごみ量検出部２２が検出したごみ量を受け取ると、ごみ収集ボックス３０内のごみ量が予め設定された規定量よりも多いか否かを判定する（ステップＳ２０２）。
【００６０】
ここで、ごみ量検出部２２が検出するごみ量は、例えばごみ収集ボックス３０の容積にごみが占める割合などである。例えば、規定量が８０％に設定されている場合には、ごみ収集ボックス３０の８０％以上がごみで占められた際に、ごみ量が規定量以上であると判定する。
【００６１】
そして、ごみ量が予め設定された規定量よりも多いと判断した際には、ごみ収集ボックス３０が満杯に近いこと知らせる通知信号を通信部２４に出力する（ステップＳ２０３）。
【００６２】
前述したように、センサ制御部１１には、ユニークな識別番号が付与されている。この識別番号は、例えばセンサ制御部１１の図示しないメモリなどに格納されている。制御部２３は、通知信号を通信部２４に出力する際に、図示しないメモリなどに格納された識別番号を読み出す。そして、読み出した識別番号とごみ量検出部２２が検出したごみ収集ボックス３０内のごみ量とを通知信号に付加する。
【００６３】
また、ステップＳ２０２の処理にて、ごみ量が予め設定された規定量よりも少ないと判断した際には、再びステップＳ２０２の処理に戻る。
【００６４】
通信部２４は、識別番号とごみ量とが付加された通知信号を、通信回線１４を介してごみ収集ボックス３０を管理する管理会社が有するサーバ１２に出力する。サーバ１２は、設置情報テーブルから、受信した通知信号に付加されている識別番号と一致するごみ収集ボックス３０の設置場所の情報を検索する（ステップＳ２０４）。
【００６５】
続いて、サーバ１２は、管理部１３に満杯アラートを送信する（ステップＳ２０５）。この満杯アラートには、ステップＳ２０４の処理にて検索されたごみ収集ボックス３０の設置場所およびステップＳ２０３の処理にてセンサ制御部１１から送信されたごみ量などの情報が付加される。
【００６６】
満杯アラートは、例えば電子メールなどによってサーバ１２から管理部１３に送信する。あるいは、サーバ１２から送信した満杯アラートの情報を管理部１３に送信した際に、該満杯アラートを管理部１３が有する図示しないモニタなどに表示するようにしてもよい。
【００６７】
電子メールの場合には、ごみ収集ボックス３０のごみ量が規定値以上である旨の警告文、該ごみ収集ボックス３０の設置位置、およびごみ量などが記載される。また、管理部１３のモニタに表示する場合には、ごみ収集ボックス３０のごみ量が規定値以上である旨の警告、該ごみ収集ボックス３０の設置位置、およびごみ量などの情報が表示される。
【００６８】
管理部１３が満杯アラートを受け取ると、例えば清掃局の担当者などが該満杯アラートの情報に基づいて、ごみ収集車の配車および収集ルートの検討などを行う。例えば、満杯アラートの出力されたごみ収集ボックス３０を効率よく収集できるルートの検討や満杯アラートの出力されたごみ収集ボックス３０を優先して収集するルートの検討などである。
【００６９】
その他にも、ごみ収集車の収集処理量があるごみ収集車に集中しないように配車するルートの検討、あるいは収集日以外であっても、満杯アラートが出力されたごみ収集ボックス３０のごみを収集するルートの検討などである。
【００７０】
これらの検討処理については、清掃局の担当者などが行うようにしてもよいし、あるいはパーソナルコンピュータなどを用いてソフトウェアによって行うようにしてもよい。
【００７１】
以上により、ごみ管理処理が終了となる。
【００７２】
このように、ごみ収集ボックス３０のごみ量を監視して回収時期を満杯アラートによって通知することにより、ごみ収集ボックス３０のごみ溢れなどを防止することができる。また、通知した満杯アラートのごみ量に基づいて、ごみ収集車の配車を効率よく行うことができる。
【００７３】
以上により、ごみ回収スペースにおける景観の悪化を防止しながら、衛生的に利用することができる。また、ごみ収集ボックス３０が満杯になり、ごみが捨てられないという事態を防止することができる。さらに、ごみ収集車の効率的な運用を可能とすることができる。
【００７４】
なお、本実施の形態１では、ごみ量が規定量以上となった際に通知信号を出力する構成としたが、通知信号の代わりに、ある間隔毎にごみ量検出部２２が検出したごみ量をサーバ１２に送信するようにしてもよい。その場合には、サーバ１２によってごみ量の監視が行われる。サーバ１２では、ごみ量に応じて満杯アラートを管理部１３に出力する。
【００７５】
すなわち、図４のステップ２０１の処理によって検出されたごみ量は、サーバ１２に送信された後、該サーバ１２によって図４におけるステップＳ２０２，Ｓ２０４，Ｓ２０５の処理がそれぞれ実行されることになる。また、ステップＳ２０３の処理による通知信号の出力は、前述したように出力されない。
【００７６】
このように、サーバ１２によってごみ量を監視するので、満杯アラートを出力する条件、すなわちごみ収集ボックス３０のごみ量と比較する規定値をフレキシブルに変更することができる。これにより、例えばごみ収集ボックスの大きさなどに応じて規定値を変更するなどが可能となり、利便性をより向上させることができる。
【００７７】
（実施の形態２）
図５は、本実施の形態２による廃棄物処理システム１０における構成の一例を示す説明図である。
【００７８】
図５の廃棄物処理システム１０が、前記実施の形態１における図１の廃棄物処理システム１０と異なるところは、センサ制御部１１にごみ重量測定部２５が新たに設けられている点である。
【００７９】
また、サーバ１２は、課金機能を有する。この課金機能は、ごみ収集ボックス３０（図２）に投棄されたごみの重量に応じて課金する機能、すなわち従量制課金を行う機能である。
【００８０】
ごみ重量測定部２５は、ごみ収集ボックス３０（図２）に投棄されたごみの重量を測定する。ごみ重量測定部２５が測定したごみ重量は、制御部２３に出力される。図５の廃棄物処理システム１０におけるその他の構成については、図１の廃棄物処理システム１０と同様であるので、説明は省略する。
【００８１】
続いて、図５の廃棄物処理システム１０の動作について説明する。ここでは、廃棄物処理システム１０による課金機能の動作について説明する。廃棄物処理システム１０における課金機能以外の他の動作については、図５の廃棄物処理システム１０図１の廃棄物処理システム１０と同様であるので、説明は省略する。
【００８２】
制御部２３は、前記実施の形態１と同様に、ごみ量が規定量よりも多くなると通知信号を出力する。この際に、通知信号には、識別番号、ごみ量、およびごみ重量測定部２５が測定したごみ重量の情報を付加する。
【００８３】
そして、サーバ１２では、受信したごみの重量から、ごみ重量に応じた課金金額を決定する。サーバ１２は、例えばごみ重量に応じた課金金額が示される料金テーブルを有しており、該料金テーブルを参照することによって課金金額を決定する。また、料金テーブルは、サーバ１２が有する図示しないメモリなどに格納される。
【００８４】
そして、サーバ１２は、料金テーブルを参照することによって決定した課金金額を施設運営会社が有する管理部１３に送信する。課金金額は、前記実施の形態１にて述べた満杯アラートとともに送信される。
【００８５】
あるいは、満杯アラートと共に出力する場合に加えて、予め設定されているごみ回収日などに課金金額を一定間隔毎に算出して管理部１３に送信するようにしてもよい。
【００８６】
これらにより、ごみ処理にかかる費用の算出および請求を効率的に行うことができる。
【００８７】
上述したごみ重量に応じた課金機能においては、管理部１３を自治体が有する場合においても適用することもできる。特に、自治体においてごみ処理が有料となった際には、有効となる。
【００８８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８９】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【００９０】
例えば前記実施の形態１，２による廃棄物処理システム１０では、ごみ収集ボックス３０がマンションの住人などが利用する場合について記載したが、ごみ収集ボックス３０は、例えばスタジアム、遊園地、あるいはショッピングモールなどの様々な施設内に備えられるものであってもよい。
【００９１】
その場合、管理部１３は、スタジアムなどの施設運営会社が委託する清掃業者などが有するものとし、管理部１３に送信された満杯アラートに基づいて、施設内に備えられたごみ収集ボックス３０の収集ルートを検討する。あるいは、満杯アラートが送信されたごみ収集ボックス３０のみの収集を行うなどであってもよい。
【符号の説明】
【００９２】
１０  廃棄物処理システム
１１  センサ制御部
１２  サーバ
１３  管理部
１４  通信回線
２０   認証部
２１  施錠部
２２  ごみ量検出部
２３  制御部
２４  通信部
２５  ごみ重量測定部
３０  ごみ収集ボックス
３０ａ  蓋
【図１】
2016141499.tif 000003
【図２】
2016141499.tif 000004
【図３】
2016141499.tif 000005
【図４】
2016141499.tif 000006
【図５】
2016141499.tif 000007